(57)【要約】【課題】遊技操作用のハンドルの下側に設けた受台を遊技者から防護可能な遊技機を提供する。【解決手段】遊技機１は、外枠２の前面に片開きの扉状に開閉可能なように装着された前面部材４と、前面部材４の前面下方位置に設けられた遊技操作用のハンドル１６と、ハンドル１６の下側に遊技者側に向けて突設された受台１５とを備えている。かかる遊技機１において、前面部材４の受台１５の上方であって、機前の椅子に腰掛けた遊技者が受台１５に向けて手を振り下ろす動作の邪魔になる位置に障害部材３７を設けた。このように障害部材３７を受台１５の上方に設けることにより、それが邪魔になって心理的・物理的に遊技者が手を振り下ろし難くなるため、受台１５を叩く気持ちを殺ぐか又は仮に叩かれてもその力を弱めることができる。【選択図】        図１
2018027344.tif 000002
【特許請求の範囲】
【請求項１】
遊技球が流下可能な遊技領域を備えた遊技機において、
前記遊技領域に遊技球を発射するために遊技者によって操作されるハンドル部と、
前記ハンドル部の上方に設けられ、該ハンドル部に向けて手を振り下ろす動作を困難にし得る位置に突出し且つ俯瞰方向からの該ハンドル部の視認を可能にする視認領域が形成された突出部と、
を有することを特徴とする遊技機。
【発明の詳細な説明】
【技術分野】
【０００１】
本発明は、パチンコ機等の遊技機に関する。
【背景技術】
【０００２】
従来、四角い環状枠の下辺の前面に幕板を設けてなる外枠と、該外枠の前面に片開きの扉状に開閉可能なように装着され閉じた状態で前記幕板の上に位置する前面部材と、該前面部材の前面下方位置に設けられた遊技操作用のハンドルと、前面部材の前面であって前記ハンドルの下側に遊技者側に向けて棚板状に突設した受台と、を備えた遊技機が、例えば特許文献１に記載されている。
【先行技術文献】
【特許文献】
【０００３】
【特許文献１】特開２０１０−２１３７６１号公報
【発明の概要】
【発明が解決しようとする課題】
【０００４】
しかしながら、従来の構成では、苛立った遊技者が力任せに叩く行為等を行った場合に、遊技機が破損するおそれがあった。
【０００５】
本発明は、上記に鑑みなされたもので、その目的は、遊技機が破損することを抑制する遊技機を提供することにある。
【課題を解決するための手段】
【０００６】
上記の目的を達成するため本発明は、
遊技球が流下可能な遊技領域を備えた遊技機において、
前記遊技領域に遊技球を発射するために遊技者によって操作されるハンドル部と、
前記ハンドル部の上方に設けられ、該ハンドル部に向けて手を振り下ろす動作を困難にし得る位置に突出し且つ俯瞰方向からの該ハンドル部の視認を可能にする視認領域が形成された突出部と、を有することを特徴とする。
【０００７】
また、本発明とは別の発明として、以下の手段を参考発明として開示する。
参考発明の遊技機は、
外枠の前面に片開きの扉状に開閉可能なように装着された前面部材と、
該前面部材の前面下方位置に設けられた遊技操作用のハンドルと、
前記ハンドルの下側に遊技者側に向けて突設された受台と、を備えた遊技機において、
前記前面部材の前記受台の上方であって、機前の椅子に腰掛けた遊技者が前記受台に向けて手を振り下ろす動作の邪魔になる位置に障害部材を設けたことを特徴とする。
また、前記障害部材は、受台の上方に庇状に設けられ且つ上から下に貫通する貫通部を有するものであることを特徴とする。
【０００８】
また、前記前面部材は、前記ハンドルより高所の位置に遊技球を入れる球皿を備えており、
一方、前記障害部材は、遊技者が前記受台に向けて手を振り下ろす動作の手の軌道を横切り得るように前記球皿の側方に設けられていることを特徴とする。
【発明の効果】
【０００９】
本発明によれば、遊技機が破損することを抑制することができる。
【００１０】
【００１１】
【図面の簡単な説明】
【００１２】
【図１】パチンコ機の斜視図である。
【図２】パチンコ機の要部を示す部分正面図である。
【図３】（ａ）は前面部材を閉じた状態のパチンコ機要部の側面図、（ｂ）は前面部材を若干開いた又は閉じる直前の状態を示すパチンコ機要部の側面図である。
【図４】裏側の遊技機用機能部品を省略したパチンコ機の平面図である。
【図５】発射力調節装置と球発射部材を示すためのパチンコ機の要部水平断面図である。
【図６】受台の高さの中間を通る部位で切断したパチンコ機の要部水平断面図である。
【図７】図６の状態からハンドルを回動させた状態を示すパチンコ機の要部水平断面図である。
【図８】（ａ），（ｂ）はハンドル浮揚付勢手段を説明するためのものでハンドルと受台の要部を示す縦断面図である。
【図９】ハンドルと受台の後側から見た斜視図である。
【図１０】発射力調節装置の分解斜視図である。
【図１１】ハンドルの分解斜視図である。
【図１２】受台内部の部品を示す分解斜視図である。
【図１３】図５のＡ−Ａ線断面図である。
【図１４】実施形態１の変形例を示すもので、（ａ）は前面部材を閉じた状態のパチンコ機要部の側面図、（ｂ）は支持部材を収納した状態を示す前面部材要部の側面図である。
【図１５】実施形態２を示すもので、前面部材を若干開いた又は閉じる直前の状態を示すパチンコ機の要部斜視図である。
【図１６】実施形態２を示すもので、（ａ）は前面部材を閉じた状態のパチンコ機要部の側面図、（ｂ）は前面部材を若干開いた又は閉じる直前の状態を示すパチンコ機要部の側面図である。
【図１７】実施形態３を示すもので、（ａ）は前面部材を閉じた状態のパチンコ機要部の側面図、（ｂ）は前面部材を若干開いた又は閉じる直前の状態を示すパチンコ機要部の側面図である。
【図１８】障害部材の変形例を示すパチンコ機の平面図である。
【発明を実施するための形態】
【００１３】
［実施形態１］
以下に本発明の実施形態１を遊技機の一例たるパチンコ機を例に図面を参照しつつ説明する。なお、パチンコ機による一般的なパチンコ遊技は、遊技者が遊技球を遊技領域に向けて発射させ、その遊技球が遊技領域に設けられている入賞口に入った場合に、入賞の景品として複数個の遊技球を遊技者に直接放出するか又は持ち球データに加算し、一方、入賞しなかった遊技球をアウト球として回収又は持ち球データから減算するものである。
【００１４】
［パチンコ機］
パチンコ機１は、図１に示したように、四角い環状枠２ａの下辺の前面に幕板２ｂを設けてなる外枠２と、該外枠２の前面に装着された前面部材４と、該前面部材４の前面下方位置に設けられた遊技操作用のハンドル１６と、前面部材４の前面であって前記ハンドル１６の下側に遊技者側に向けて突設された受台１５と、を備えている。
【００１５】
［前面部材］
前面部材４は、外枠２の一側上下部に取り付けた蝶番部材３，３で該外枠２の前面に片開きの扉状に開閉可能なように装着されており、閉じた状態で前記幕板２ｂの上に位置する。
この前面部材４の正面には、ガラスや合成樹脂の透明板を装着した窓部５と、その窓部５の下側に前記遊技球を入れるために突設された球皿６と、が設けられている。
一方、前面部材４の裏側には、前記窓部５と対向する位置に装着された遊技板（図示せず）と、遊技球を貯める球タンク７その他の遊技機用機能部品を装着したいわゆる機構板８等が取り付けられている。
また、前記遊技板の正面にはガイドレール（図示せず）で円形に囲った前記遊技領域が形成されており、その遊技領域が前面部材４の前記窓部５を透して遊技者から見えるようになっている。
また、前面部材４には、遊技球を遊技領域に向けて発射させる球発射部材９が設けられている。
【００１６】
［前面部材…球発射部材］
球発射部材９は、図２に示したように、遊技板の下側であって該遊技板の前面と面一の垂直面を構成するように前記前面部材４の裏側に設けた発射基板１１と、該発射基板１１の前面に固着した発射レール１２と、前記球皿６から発射レール１２上に供給される遊技球を一個ずつ打ち出す電動打球槌１３と、により概略構成される。
【００１７】
［前面部材…球発射部材…電動打球槌］
前記電動打球槌１３は、図２，図５に示したように、前面部材４の裏側下方に該前面部材４との間に空間１４を設けて固着した支持基板１３ａと、該支持基板１３ａの裏側（反・前面部材４側の面）に固着したロータリーソレノイド１３ｂと、支持基板１３ａを貫いて前側（前面部材４側の面）に突出させた前記ロータリーソレノイド１３ｂの出力軸１３ｃと、支持基板１３ａと前面部材４の間の前記空間１４内で揺動可能なようにロータリーソレノイド１３ｂの出力軸１３ｃに取り付けた槌本体１３ｄと、から概略構成される。
【００１８】
この電動打球槌１３は、ロータリーソレノイド１３ｂに電力が供給されないとき、槌本体１３ｄが図２二点鎖線の倒れた位置にある。この状態でロータリーソレノイド１３ｂにパルス状の電圧を印加すると、該ロータリーソレノイド１３ｂのステータの突極（図示せず）が励磁され、ロータの突極若しくは磁極（図示せず）と勢いよく引き合い、その力で出力軸１３ｃが回動し、槌本体１３ｄが図２破線の発射位置に勢いよく変位する。また、パルス状の電圧は、すぐに無くなるためロータリーソレノイド１３ｂの前記ステータの突極が消磁し、槌本体１３ｄが図２二点鎖線の倒れた位置に戻る。
【００１９】
電動打球槌１３の槌本体１３ｄの上端にはゴムなどの弾性体やコイルスプリングで形成した打撃部材１３ｅが設けられており、槌本体１３ｄが前記した発射位置に至ったとき該打撃部材１３ｅが発射レール１２の発射位置にある遊技球のほぼ芯を打つ。
【００２０】
［前面部材…ハンドル＋受台］
前記ハンドル１６と受台１５は、前記電動打球槌１３の発射力を調節する発射力調節装置１０の主要部を構成するものである。よって、以下に発射力調節装置１０について説明する。
【００２１】
［前面部材…発射力調節装置］
実施形態１の発射力調節装置１０は、機前の下方から遊技者側に向けてほぼ水平に突設した受台１５と、該受台１５の上面に位置し該受台１５上に設定した定点Ｐ（具体的には後述する軸孔２２の中心（図５参照））を中心としたほぼ扇形の軌跡を描く状態で首振り回動可能なハンドル１６と、該ハンドル１６の前記首振り回動によって前記電動打球槌１３の発射力を強弱させ得る調節手段１７と、前記ハンドル１６を前記球発射部材９の発射動作が停止するよう関連付けられた初期位置に向けて付勢するハンドル復動手段１８と、前記ハンドル１６を前記受台１５の上面から浮かせて隙間１９（図８（ａ），図８参照）を形成するハンドル浮揚付勢手段２０と、を備えている。
【００２２】
［前面部材…発射力調節装置…受台］
前記受台１５は、機前の下方、具体的には図１、図２に示したように、前面部材４の正面向かって右下にあって、そこから遊技者側に向けてほぼ水平に突出するように前面部材４の裏側から通したビス（図示せず）でビス止めされている。なお、受台１５の前面部材４を挟んだ裏側には、前記球発射部材９の槌本体１３ｄが位置している。
【００２３】
受台１５の平面形状は、図５に示したように、水平な長方形を基本形としてそれを変形させたものであって、該長方形の遊技者に近い方を手前側として、遊技機の正面向かって右側に位置する手前側角部を遊技者側に引っ張って鋭角に変形させると共に、その鋭角の角部に弧状のアール部２１を形成したものになっている。
また、受台１５は、図１０に示したように、上面部材１５ａと、該上面部材１５ａの下側の周囲を囲う側面部材１５ｂと、該側面部材１５ｂの下側をカバーする底面部材１５ｃと、で構成された中空構造であり、その中空の内部が後述する部品類を組み込むための機構室１５ｄになっている。なお、受台１５の前記側面部材１５ｂは、前面部材４に接する一辺を除いて上面部材１５ａと一体の内部材１５ｂ−１と、その外側を取り巻いて装飾的にカバーする外部材１５ｂ−２と、の二重構造になっている。
【００２４】
受台１５には、上面部材１５ａの前記アール部２１に、前記機構室１５ｄに貫通する円形の軸孔２２と、同じく機構室１５ｄに通じる略角形の連通孔２３とが穿設されている。
また、受台１５には、上面部材１５ａに前記軸孔２２を中心とする平面視円弧形で凸状（例えば山形状）に盛り上げた形態の軌道部２４が複数本等間隔且つ波紋状態に並べられている。
【００２５】
また、受台１５には、前記軌道部２４の最も外側のものに接するように前記軸孔２２を中心とする弧状長孔２５が穿設されている。この弧状長孔２５の下面には弧状底蓋２６が宛がわれており、その弧状底蓋２６の遊技者に近い側の端部（以下「始端部」ともいう。）の外側に前記電動打球槌１３を作動・停止させるメインスイッチ２７が取り付けられている。また、弧状底蓋２６の始端部には、前記メインスイッチ２７のスイッチ片２７ａを作動させる揺動レバー２８の一端が臨んでいる。
【００２６】
［前面部材…発射力調節装置…ハンドル］
前記ハンドル１６は、あたかも大型の卵をギザギザの切り口にして上下に分割し下側の半分を取り除いたような形態であり、図１１に示したように、前記受台１５の上面に載る底部１６ａと、その底部１６ａ上にあって遊技者が手掌（しゅしょう…手の平）側を下向きにして手を載せ置くための手載せ部１６ｂと、前記電動打球槌１３を一時的に停止させ得る一時発射停止手段２９と、を有する。
このハンドル１６は、底部１６ａと手載せ部１６ｂを別々に樹脂成形してビス１６ｃ（図１３参照）により接合したものであり、その内部に前記一時発射停止手段２９が組み込まれ、さらに前記したハンドル浮揚付勢手段２０も組み込まれている。
【００２７】
［前面部材…発射力調節装置…ハンドル…底部］
ハンドル１６の前記底部１６ａは、前記手載せ部１６ｂに対して印籠嵌合可能な上向きの嵌合口部１６ｄと、長手方向の一端に延設した軸基板１６ｅと、長手方向の他端に下向きに突設したＬ型屈曲片１６ｆと、前記受台１５の軌道部２４に整合する逆さ凹状の摺動部１６ｇと、を有する。前記軸基板１６ｅには下向きに回動軸１６ｈが突設されており、該回動軸１６ｈが受台１５の前記軸孔２２に回動可能な状態に嵌合する。一方、ハンドル１６の底部１６ａの前記摺動部１６ｇは、前記回動軸１６ｈを中心とする平面視円弧形で複数本等間隔且つ波紋状態に並べられており、従って、該摺動部１６ｇは受台１５の軌道部２４と同じく、受台１５の上面部材１５ａの前記軸孔２２を中心とする平面視円弧形である。
【００２８】
［前面部材…発射力調節装置…ハンドル…手載せ部］
ハンドル１６の前記手載せ部１６ｂは、遊技者が手掌側を下向きにして手を載せ置くものであって、指先を若干開いた状態の成人男性の片手でほぼ覆える程度の大きさである。
【００２９】
［前面部材…発射力調節装置…ハンドル…一時発射停止手段］
前記ハンドル１６の内部には、図１１、図１３に示したように、電動打球槌１３を一時停止させ得る一時発射停止手段２９が取り付けられている。この一時発射停止手段２９は、手載せ部１６ｂの内側にスイッチ取付部材２９ａを介して取り付けられたサブスイッチ２９ｂと、手載せ部１６ｂの外側上面に片持ち梁状に固定することによって自由端側に弾性を付与した作動片２９ｃと、から概略構成される。そして、作動片２９ｃの自由端側には上面にボタン凸部２９ｄが設けられ、下面にスイッチ押え２９ｅが突設され、図１３の拡大図に示したように、前記スイッチ押え２９ｅが手載せ部１６ｂの通し孔１６ｉを通って前記サブスイッチ２９ｂのスイッチボタン２９ｆの上面に臨んでいる。サブスイッチ２９ｂは、例えば公知のマイクロスイッチであり、そのスイッチボタン２９ｆが、スイッチ内のバネ（図示せず）の弾性により外部に突出する方向に常時付勢されていてその状態で内部の接点が閉じている。従って、このスイッチボタン２９ｆが外部に突出しているとき電動打球槌１３は、他の条件の成立を条件に作動し、スイッチボタン２９ｆが下がればたとえ作動中でも停止する。
【００３０】
一時発射停止手段２９は以上のような構成であり、作動片２９ｃのボタン凸部２９ｄに力を加えない状態では作動片２９ｃの弾性によりスイッチ押え２９ｅがサブスイッチ２９ｂのスイッチボタン２９ｆ上に位置しており、この状態で電動打球槌１３は作動可能である。従って、この状態で前記したメインスイッチ２７がＯＮになる等、他の所定条件が整えば電動打球槌１３は作動する。
一方、電動打球槌１３が作動しているときに作動片２９ｃのボタン凸部２９ｄを指で押さえると、スイッチ押え２９ｅが下がってサブスイッチ２９ｂのスイッチボタン２９ｆが押し込まれ、そうするとたとえ作動中であっても電動打球槌１３は停止し、遊技球の発射が止まる。そして任意のタイミングでボタン凸部２９ｄから指を離すと、作動片２９ｃが自己の弾性により復動し、スイッチ押え２９ｅが上昇してサブスイッチ２９ｂのスイッチボタン２９ｆも上昇し、これによって電動打球槌１３が作動を再開する。
このように作動片２９ｃのボタン凸部２９ｄを遊技者自身が押圧・解放操作することにより、遊技球の発射を任意のタイミングで任意の時間一時的に停止させることができる。
【００３１】
なお、図１１、図１３において１６ｊは前記作動片２９ｃの上面を覆うように手載せ部１６ｂに装着したカバー部材、１６ｋは該カバー部材１６ｊに設けた貫通長孔であり、該貫通長孔１６ｋから作動片２９ｃのボタン凸部２９ｄがカバー部材１６ｊの外に出る。このカバー部材１６ｊは導電構造のタッチスイッチになっており、該カバー部材１６ｊに遊技者の手が触れていることを検知し、手が触れている場合にのみ前記電動打球槌１３の作動を可能とする。
【００３２】
また、図１１、図１３において１６ｍは手載せ部１６ｂの反サブスイッチ２９ｂ側の端部から下向きに突設した水平断面コ字状の配線支柱であり、該配線支柱１６ｍを受台１５の前記連通孔２３に差し込んでその先端を前記機構室１５ｄに臨ませると共に、その配線支柱１６ｍの中を通って前記サブスイッチ２９ｂの配線（図示せず）やカバー部材１６ｊのタッチスイッチの配線（図示せず）が機構室１５ｄに引き込まれる。
【００３３】
［前面部材…発射力調節装置…ハンドルと受台］
前記ハンドル１６は、底部１６ａの一端の軸基板１６ｅに突設した前記回動軸１６ｈを前記受台１５の軸孔２２に挿通し、一方、底部１６ａの他端に突設したＬ型屈曲片１６ｆを受台１５の弧状長孔２５に通した状態で受台１５の上面に設置されている。ハンドル１６は、前記のように指先を若干開いた状態の成人男性の片手でほぼ覆える程度の大きさであり、従って操作姿勢で前記受台１５の上面にも操作する手の一部が載る。
ハンドル１６は、図５に示したように、首振り回動の中心たる前記回動軸１６ｈ（＝軸孔２２）が遊技者寄りの位置に配置されると共に扇形の軌跡の円弧側が反遊技者側（前枠４の前面側）に向かう向きになっている。
【００３４】
受台１５の上面にハンドル１６を設置した状態で、受台１５の軌道部２４の出っ張りとハンドル１６の摺動部１６ｇの凹みが緩やかな嵌め合い状態で合わさっている。受台１５の軌道部２４とハンドル１６の摺動部１６ｇは中心（回動軸１６ｈと軸孔２２）を同じくする平面視円弧形であるから、ハンドル１６は、受台１５の軌道部２４と摺動部１６ｇとが合わさったまま回動軸１６ｈ（＝軸孔２２）の中心を定点Ｐとしてその定点Ｐを中心に首振り回動可能である。
【００３５】
一方、ハンドル１６の底部１６ａの一端に下向き突設したＬ型屈曲片１６ｆは、前記軌道部２４や摺動部１６ｇと中心（回動軸１６ｈ、軸孔２２）を同じくする平面視円弧形の弧状長孔２５の中を移動するため、ハンドル１６の首振り回動を妨げない。さらにＬ型屈曲片１６ｆは、図１３の拡大図に示したように受台１５の弧状長孔２５の開口縁に内側から引っ掛かるように位置設定されており、このＬ型屈曲片１６ｆの引っ掛かりによりハンドル１６の一端が浮き上がらないようになっている。なお、受台１５の弧状長孔２５の開口縁の下面沿いには下向きのリブ２５ａが突設されており、ハンドル１６のＬ型屈曲片１６ｆとの接触部をほぼ線状にして摩擦を低減し、もってハンドル１６の軽やかな動きが妨げられないようにしてある。
【００３６】
また、Ｌ型屈曲片１６ｆは、ハンドル１６が最も遊技者側に近寄った図５実線の位置にあるとき、前記メインスイッチ２７の揺動レバー２８に作用して該メインスイッチ２７をＯＦＦにする。こうしてメインスイッチ２７がＯＦＦになると電動打球槌１３は作動せず、球発射部材９の発射動作は停止する。
従って本実施形態において、受台１５上での最も遊技者側に近寄った図５実線のハンドル１６の位置が、球発射部材９の発射動作が停止するよう関連付けられた初期位置である。
【００３７】
［前面部材…発射力調節装置…調節手段］
前記球発射部材９の発射力を強弱させる調節手段１７は、球発射部材９の前記ロータリーソレノイド１３ｂに印加するパルス状の電圧値を変更可能な可変抵抗器であり、図１０、図１２に示したように、略円柱形を呈する抵抗器本体１７ａと、その抵抗器本体１７ａの中心から突出する調節軸１７ｂと、を有する。そして、前記受台１５の上面部材１５ａの裏側（下面）に、該上面部材１５ａにビス着されている支持部材３０を介して前記調節軸１７ｂを上向きにした状態で取り付けられている。なお、調節手段１７の抵抗器本体１７ａは、支持部材３０の下側に出っ張った状態になっているため、受台１５の底面部材１５ｃに長円形のカップ部１５ｅを設けてその中に抵抗器本体１７ａが収まるようになっている。
【００３８】
［前面部材…発射力調節装置…調節手段＋ハンドル］
前記調節手段１７と前記ハンドル１６は、図６、図７、図１２、図１３に示したように、略扇形の原動内歯車３１と、略扇形の従動平歯車３２との組み合わせである歯車伝動機構により連結されている。
【００３９】
前記原動内歯車３１は、前記受台１５の上面部材１５ａの裏側に沿う位置にあって前記ハンドル１６の回動軸１６ｈの下端にビスにより固着されており、従ってハンドル１６と一体に首振り回動可能である。この原動内歯車３１は、円周部分の周壁３１ａの内側に内歯車を構成する歯３１ｂ，３１ｂ…を有すると共に周壁３１ａの外側にフランジ片３１ｃを有し、該フランジ片３１ｃが、受台１５の上面部材１５ａに軸着されている回転ローラ３３の溝３３ａの間を通るようになっている。従って原動内歯車３１の重量バランスが扇形であるが故に周壁３１ａ側に偏っていても、回転ローラ３３の支えにより周壁３１ａ側が下がったりふらついたりするおそれがない。よって原動内歯車３１の首振り回動が安定する。
【００４０】
一方、従動平歯車３２は、前記原動内歯車３１の下に位置し、扇の中心相当部位に突設した下向きの軸筒部３２ａを前記調節手段１７の調節軸１７ｂの上端に被せた状態で固着されており、調節軸１７ｂと一体に回動する。該従動平歯車３２の外周には平歯車を構成する歯３２ｂ，３２ｂ…が形成されており、その歯３２ｂ，３２ｂ…と前記原動内歯車３１の歯３１ｂ，３１ｂ…が図６、図７に示したように噛み合っている。従って原動内歯車３１がハンドル１６と一体に図６から図７のように首振り回動すると、その回動が原動内歯車３１から従動平歯車３２に伝わって調節軸１７ｂが回るため、調節手段１７の電気抵抗が変わる。
【００４１】
［前面部材…発射力調節装置…ハンドル復動手段］  
前記ハンドル復動手段１８は、前記ハンドル１６を前記初期位置、すなわち前記球発射部材９の発射動作が停止するよう関連付けられた位置に向けて付勢するものであり、前記従動平歯車３２の軸筒部３２ａの外周に装着した捩りコイルバネ１８ａで構成されている。該捩りコイルバネ１８ａは、両端のバネ軸１８ｂ，１８ｃを従動平歯車３２の底面と前記支持部材３０に夫々係止させることにより、従動平歯車３２を図６、図７において反時計回りに付勢するようになっている。この捩りコイルバネ１８ａの付勢力が、従動平歯車３２から原動内歯車３１に伝わってハンドル１６を初期位置に向かわせる回転力となる。従ってハンドル１６が遊技者によって初期位置から離れた位置に動かされても、遊技者がハンドル１６から手を離せば、ハンドル復動手段１８の捩りコイルバネ１８ａの付勢により初期位置に自動的に復動する。
【００４２】
なお、実施形態のハンドル復動手段１８は、上記のように捩りコイルバネ１８ａで構成したため、ハンドル１６から遊技者の手が離れた瞬間に勢いよく戻りすぎるおそれがある。そこで実施形態では、ハンドル１６の初期位置への復動が緩やかに行われるように緩衝手段１８ｄが設けてある。この緩衝手段１８ｄは、例えばオイルの粘性抵抗で制動力を発生させるようにした回転系のダンパーであり、ダンパー本体１８ｅを図１３に示したように前記支持部材３０の上面側に固着すると共に、ダンパー本体１８ｅの上部に突出させたピニオンギヤ１８ｆと前記従動平歯車３２の下面に形成した内歯車３２ｃとを噛合させ、もってハンドル復動手段１８の捩りコイルバネ１８ａによって従動平歯車３２が初期位置に向かって復動するとき、オイルの粘性抵抗による制動力をピニオンギヤ１８ｆに作用させ、そうしてハンドル１６をゆっくりと復動させる。
【００４３】
［前面部材…発射力調節装置…ハンドル浮揚付勢手段］
前記ハンドル浮揚付勢手段２０は、ハンドル１６の手載せ部１６ｂに遊技者の手が載っていないときに、図８（ａ）に示したように、ハンドル１６の底部１６ａを受台１５の上面から浮かせて隙間１９を形成するためのものである。
このハンドル浮揚付勢手段２０は、図１１に示したように、中央下面に二本の固定ピン２０ａ，２０ａを突設した固定主板２０ｂと、その固定主板２０ｂの両横に延設した弾性翼片２０ｃ，２０ｃと、該弾性翼片２０ｃの端部下面に突設した脚片２０ｄ，２０ｄと、を備え、前記固定ピン２０ａ，２０ａをハンドル１６の底部１６ａに形成した受筒部１６ｎ，１６ｎに嵌合させて固定主板２０ｂを固定すると共に、弾性翼片２０ｃ，２０ｃの脚片２０ｄ，２０ｄをハンドル１６の底部１６ａに開設した脚通孔１６ｐ，１６ｐから受台１５の上面（一対の軌道部２４，２４同士の間）に突出させ、そうしてハンドル１６の底部１６ａを受台１５の上面から浮かせるようにしたものである。このときハンドル１６は、ハンドル浮揚付勢手段２０の弾性翼片２０ｃ，２０ｃの弾性によって支えられているのであり、従ってハンドル浮揚付勢手段２０は、少なくともハンドル１６の重量を支えるに十分な強さを有する。
【００４４】
このようにハンドル１６が、ハンドル浮揚付勢手段２０の脚片２０ｄ，２０ｄで支えられている状態では、ハンドル浮揚付勢手段２０を潤滑性に優れた樹脂（例えばフッ素樹脂）で形成しておけば受台１５との摩擦抵抗を小さくすることができるから、前記ハンドル復動手段１８によるハンドル１６の復動が軽やかに行える効果がある。
また、そのような潤滑性に優れた樹脂でハンドル浮揚付勢手段２０を形成しない場合でも、ハンドル１６の底部１６ａと受台１５の面同士の全面接触を回避することにより、ハンドル１６の底部１６ａや受台１５の汚れに起因する摩擦抵抗の増大の影響を受けにくくすることができるから、どちらにしてもハンドル復動手段１８によるハンドル１６の復動が軽やかに行える効果がある。
【００４５】
なお、上記のようにハンドル復動手段１８によるハンドル１６の復動が軽やかに行えるということは、ハンドル復動手段１８の捩りコイルバネ１８ａのばね定数を小さくすることができる、ということを意味するものであり、そうした場合にはハンドル１６の捩りコイルバネ１８ａの付勢に抗する方向（図５において実線位置から二点鎖線位置に回動させる方向）の操作が小さい力で行える効果、ひいては遊技者の疲労度を軽減させ得る効果にもつながる。
【００４６】
一方、ハンドル浮揚付勢手段２０は、ハンドル１６の手載せ部１６ｂに遊技者が手を載せた場合に、その手の重量の増加分に抗しきれない強さ、つまり前記弾性翼片２０ｃ，２０ｃが撓むように設定されている。従ってハンドル１６の手載せ部１６ｂに遊技者が手を載せると、前記のようにハンドル１６を支えていたハンドル浮揚付勢手段２０の前記弾性翼片２０ｃ，２０ｃが撓んで図８（ｂ）のように固定主板２０ｂとともにハンドル１６が下がり、ハンドル１６の底部１６ａと受台１５の上面とが接触する。そうするとハンドル１６の底部１６ａと受台１５の上面とが全面で接触するため、前記ハンドル復動手段１８の付勢に抗してハンドル１６を任意の位置に停止させておくことが容易になる。
【００４７】
［前面部材…発射力調節装置…その他］
図１２、図１３において、３４は受台１５の前記アール部２１に設けた振動ユニットである。該振動ユニット３４は、受台１５の内部に固定した基台３４ａと、その基台３４ａに上向きに取り付けた左右１対の支持スプリング３４ｂ，３４ｂと、その支持スプリング３４ｂ，３４ｂによって上下動可能に支持される振動部材３４ｃと、該振動部材３４ｃの上面に取り付けられ、受台１５の内側からアール部２１の上面に向けて突出するように形成した受け部３４ｄとからなる。
【００４８】
前記受け部３４ｄは、図５のように受台１５のアール部２１に沿う平面視円弧状であって、ハンドル１６の軸基板１６ｅの周りに突出していて、遊技者がハンドル１６を操作する際に手の平の手首に近い部位が載るようになっている。
従って前記振動部材３４ｃを作動させることにより、振動ユニット３４の振動が受け部３４ｄを介して遊技者の手に伝わるから、例えば遊技の内容に合わせて振動部材３４ｃを適宜なタイミングで作動させれば、遊技の興趣を増大させることができ、或は振動により遊技者の手の疲れをほぐす用途に使用することもできる。なお、振動ユニット３４をマッサージ機的な用途に使用する場合は、遊技者が自由に操作可能なように遊技者向けの振動スイッチを設けるとよい。
【００４９】
［前面部材…発射力調節装置の作動説明］
遊技開始前のパチンコ機は、図１の状態であり、発射力調節装置１０のハンドル１６が、図５のようにハンドル復動手段１８の付勢により遊技者側に最も近寄った初期位置にある。ハンドル１６が初期位置にある状態では、図５、図６のようにハンドル１６のＬ型屈曲片１６ｆと揺動レバー２８の作用により受台１５の内部に設けた前記メインスイッチ２７がＯＦＦになっていて、前記球発射部材９が停止している。そしてこのときハンドル１６は、図８（ａ）、図１３のようにハンドル浮揚付勢手段２０の弾性翼片２０ｃ，２０ｃの弾性により、受台１５の上面との間に隙間１９を保った状態で支えられている。
【００５０】
そこでまず、前枠４の球皿６に遊技球を投入し、受台１５のアール部２１にある前記受け部３４ｄに右手の手の平の手首近くの部位を載せ、手の平と指をハンドル１６の手載せ部１６ｂに載せる。このとき遊技者の例えば小指を含む右手の縁全体を受台１５の上面に載せるか、その逆に親指側を受台１５の上面に載せるか、或は親指と小指を受台１５の上面に載せ、手載せ部１６ｂには手の平と受台１５に載せた指以外の指を載せる。
【００５１】
なお、ハンドル１６に手を載せた段階で、その手の重みにより前記ハンドル浮揚付勢手段２０の弾性翼片２０ｃ，２０ｃが図８（ｂ）のように撓むため、ハンドル１６が下がって底部１６ａと受台１５の上面が接触する。また、ハンドル１６に載せた手がカバー部材１６ｊに触れるため、カバー部材１６ｊのタッチスイッチがＯＮになる。
【００５２】
次に、操作する右手を、主として手首を中心に図５において時計回りに動かしてハンドル１６に力を加えると、ハンドル１６が定点Ｐたる回動軸１６ｈを中心に回動する。ハンドル１６のこの回動により図７のようにＬ型屈曲片１６ｆが揺動レバー２８から離れるため、メインスイッチ２７のスイッチ片２７ａが押圧から解放され、メインスイッチ２７がＯＮになる。これにより球発射部材９の電動打球槌１３が打球動作を開始する。
【００５３】
なお、通常、球皿６に投入された遊技球は、球発射部材９の電動打球槌１３と連動する球供給装置（図示せず）によって発射レール１２の発射部の手前で止められており、電動打球槌１３が打球動作を開始すると、その動きに連動して１個ずつ発射レール１２の発射部に供給される。
【００５４】
一方、ハンドル１６の回動は、回動軸１６ｈから原動内歯車３１と従動平歯車３２を経て調節手段１７の調節軸１７ｂに歯車伝動機構のギヤ比に従い伝わるから、ハンドル１６の回動量に応じて調節軸１７ｂが回転し、可変抵抗器の電気抵抗が変化する。これにより電動打球槌１３のロータリーソレノイド１３ｂに加わる電圧が変化し、槌本体１３ｄの打撃力が変化する。従って遊技者は、打撃力が狙った強さになったとき、その位置でハンドル１６を止めればよい。
【００５５】
次に、遊技球を発射している状態で、遊技球の発射を一時的に停止させたい場合は、ハンドル１６の手載せ部１６ｂに突出しているボタン凸部２９ｄを例えば右手人差し指で押す。そうするとハンドル１６の中にあるサブスイッチ２９ｂがＯＦＦとなり、その間、電動打球槌１３が停止する。そして、適宜なタイミングでボタン凸部２９ｄから指を離すと、前記サブスイッチ２９ｂがＯＮとなり、電動打球槌１３の作動が再開する。その間、ハンドル１６を動かさなかった場合には、停止前と同じ打撃力で再開できる。
【００５６】
次に、遊技中に遊技者がハンドル１６から完全に手を離すと、まずハンドル１６のカバー部材１６ｊのタッチスイッチがＯＦＦになるからその時点で電動打球槌１３が停止し、それと同時にハンドル１６の底部１６ａからハンドル浮揚付勢手段２０の脚片２０ｄが突出してハンドル１６の底部１６ａが受台１５の上面から離れる。そして、ハンドル復動手段１８の捩りコイルバネ１８ａの付勢と緩衝手段１８ｄの働きによりハンドル１６が初期位置に緩やかに復動し、ハンドル１６のＬ型屈曲片１６ｆが揺動レバー２８に当たってメインスイッチ２７がＯＦＦとなる。
【００５７】
［受台の保護］
しかして遊技者は、遊技結果に苛立つ場合があり、その遊技者が腰掛けた姿勢のまま力任せに受台１５を叩くおそれがある。これにより受台１５に下向きの大きな外力が作用して破損に至るおそれがある。そのような遊技者による外力から受台１５を護るための受台保護手段１，２が、パチンコ機１に施されている。
【００５８】
［受台保護手段１］
受台保護手段１は、上記パチンコ機１について、外枠２の幕板２ｂと、受台１５とを棚受け状の支持部材３５で分離可能な状態に連繋させることにより、前記した受台１５に加わる下向きの外力を幕板２ｂに分散させ得るようにしたものである。
【００５９】
前記支持部材３５は、図３、図９に示したように、受台１５の下面に一体且つ斜め下向きに固着されており、後端の当り面３５ａが前面部材４を閉じた状態で幕板２ｂの正面に当接し、そうして幕板２ｂと受台１５とを分離可能な状態に連繋させる。なお、図３において符合３６は、幕板２ｂの正面に突設された支持部材３５のための逃げ止め手段であり、これにより支持部材３５が幕板２ｂに当たった状態で下に逃げる動きを抑制する。この逃げ止め手段としては、幕板２ｂ側に凹みを設けて支持部材３５の当り面をその凹みに嵌め入れるようにしてもよい。
【００６０】
このように幕板２ｂと受台１５とを棚受け状の支持部材３５で連繋させたことにより、受台１５に加わる下向きの外力が支持部材３５を介して幕板２ｂに分散されるため、受台１５の強度を確実に高めることができる。
【００６１】
なお、受台１５は、前記のように前面部材４の下辺ぎりぎりの位置にあるため、該受台１５の下面に支持部材３５を固着した場合には、外枠２から外した状態の前面部材４を起立させて保管、輸送等を行う際に、支持部材３５の出っ張りで前面部材４の起立姿勢が大きく左右方向に傾き不安定になる可能性がある。
斯かる不安定さを改善する必要がある場合には、図１４のように支持部材３５を受台１５に対して折り畳み可能とするか、或は図示しないが、支持部材３５を受台１５に対してビス等により着脱可能に取り付けるとよい。そうすることにより、前面部材４を単体で保管、輸送等する場合には、支持部材３５を折り畳み又は取り外して受台１５の下面の出っ張りを抑制し、外枠２に取り付けた状態で支持部材３５を受台１５の下面に突出させるようにすることができる。ちなみに、図１４の支持部材３５は、受台１５の下面に突設した軸受１５０に軸３５０で軸着されていて自己のバランス又はバネ等の付勢で図１４（ａ）の状態に回動しており、前面部材４を単体で地面Ｇ（図１４（ｂ）二点鎖線参照）に置くと該前面部材４の重量で自動的に折り畳まれる。
また、前面部材４のみを起立させて保管、輸送等を行う際に支持部材３５が下に出っ張る対策として、実施形態１では該支持部材３５の下側に弧状面３５ｒを設けるようにしてある。これにより前面部材４を輸送等する取り扱い時に、起立姿勢の傾きを前や後に変える必要があっても弧状面３５ｒに沿って円滑に変化させることができ、且つ、支持部材３５自体にも無理な力が作用しない。
【００６２】
［受台保護手段２］
受台保護手段２は、前面部材４の受台１５の上方であって、機前の椅子に腰掛けた遊技者が受台１５に向けて手を振り下ろす動作の邪魔になる位置に障害部材３７を設けるようにしたものである。
【００６３】
障害部材３７は、図１、図４に示したように、遊技者が受台１５に向けて手を振り下ろす動作の手の軌道を横切り得るように球皿６の側方に庇状に延設されている。
この障害部材３７には、上下方向に貫通する貫通部３８が設けられており、見る角度によって遊技者からハンドル１６若しくは受台１５が見えるようになっている。これにより遊技者に手元が見える安心感を与えることができる。
なお、球皿６の側方に障害部材３７を延設した場合には、球皿６のデザインに障害部材３７を融合させることで該障害部材３７を違和感なく設けることができ、なおかつ、受台１５と障害部材３７の間に必要十分な広さを保つことができる点で優れているが、機能的な観点からは、例えば、前面部材４から遊技者側に向けて棒状の障害部材を突設する、というように球皿６と別体に形成してももちろんよい。
【００６４】
この受台保護手段２を備えたパチンコ機１は、受台１５の上方を横切る障害部材３７が遊技者の視界に入って邪魔をすることで心理的に受台１５を叩く気持ちを殺ぐことができる。したがって、叩かれにくい。また、障害部材３７が物理的に邪魔になって遊技者が手を振り下ろし難くなるため、仮に叩かれたとしてもその力を弱めることができる。
【００６５】
なお、上記した受台保護手段１，２は、実施形態１のように両方一緒に組み合わせることで受台１５の保護効果が最大になるが、何れか一方を単独で使用してももちろんよい。
また、上記した受台保護手段２は、後述する実施形態２，３にも同様に設けられている。
【００６６】
［実施形態２］
実施形態２のパチンコ機１は、実施形態１の支持部材３５が受台１５側に設けられているのに対し、その支持部材３５を図１５、図１６（ａ），（ｂ）に示したように外枠２の幕板２ｂ側に設けたことを特徴とする。
実施形態２の支持部材３５は、垂直断面Ｔ字状で、先端に端部に向かって下傾する案内テーパ部３５ｂを設けたほぼ裏向きスキー板形状の支持板３５ｃを上面に有するものであり、幕板２ｂの前面を構成する装飾樹脂パネル２ｂ−１に一体成形されている。なお、支持部材３５は、幕板２ｂと別体に例えば金属や合成樹脂で形成して該幕板２ｂに取り付けるようにしてもよい。
【００６７】
実施形態２のパチンコ機１は以上のように構成されているため、前面部材４を閉じた図１６（ａ）の状態では、支持部材３５の支持板３５ｃが受台１５の下面を受けて実施形態１と同様に受台１５の強度を高め得る。
また、図１６（ｂ）のように前面部材４を開いた状態から閉じる場合には、受台１５の閉じ軌道が前面部材４の自重により支持部材３５の支持板３５ｃの上面より下がっていても、前記案内テーパ部３５ｂに掬われるため、受台１５の下面に支持部材３５をスムーズに潜り込ませることができる。
【００６８】
［実施形態３］
実施形態１の支持部材３５は受台１５側に設けられており、一方、実施形態２の支持部材３５は幕板２ｂ側に設けられている。これに対し実施形態３の支持部材３５は、図１７（ａ），（ｂ）に示したように、受台１５側と幕板２ｂ側の双方に設けられていて中間で分離可能に継ぎ合わさるようになっている。この場合、受台１５側の支持部材３５ｄと、幕板２ｂ側の支持部材３５ｅの基本構成は、それぞれ実施形態１、２とほぼ同じであるため説明を省略する。
【００６９】
実施形態１についての説明で明らかなように支持部材３５の全てを受台１５に固定した場合には、前面部材４を単体で起立させる際に不安定になるおそれがあるが、実施形態３では、受台１５側と幕板２ｂ側で支持部材３５ｄ，３５ｅを分割した結果、受台１５側の支持部材３５ｄを小さくすることができるため、受台１５に支持部材３５ｄを固定しても前面部材４の安定起立に与える影響を小さくすることができる。
また、実施形態２では、支持部材３５の上面のレベルを前面部材４の下面のレベルとほぼ同じに設定する必要があり（そうでなければ前面部材４が支持部材３５に衝突する。）、したがって、受台１５の前面部材４上の配置が支持部材３５の上面に接触する位置、つまり前面部材４の下辺ぎりぎりの位置に限定されることとなるが、実施形態３では、受台１５と幕板２ｂ側の支持部材３５ｅとの間に受台１５側の支持部材３５ｄが介在することとなるため、受台１５の前面部材４上の配置をある程度自由に設定することが可能になる。具体的には、受台１５を高位置に配置し、その分、支持部材３５ｄを長く（高さ）設計する、という具合である。なお、実施形態３では、受台１５の底面部材１５ｃに設けた調節手段１７のためのカップ部１５ｅを受台１５側の支持部材３５ｄとして利用することができる。
【００７０】
上記の実施形態１〜３は、次の技術的思想１〜４を含む。
［技術的思想１］
四角い環状枠の下辺の前面に幕板を設けてなる外枠と、
該外枠の前面に片開きの扉状に開閉可能なように装着され閉じた状態で前記幕板の上に位置する前面部材と、
該前面部材の前面下方位置に設けられた遊技操作用のハンドルと、
前記前面部材の前面であって前記ハンドルの下側に遊技者側に向けて突設した受台と、を備えた遊技機であって、
前記幕板と前記受台とを棚受け状の支持部材で分離可能な状態に連繋させることにより、前記受台に加わる下向きの外力を前記幕板に分散させ得るようにしたことを特徴とする遊技機。
【００７１】
［技術的思想２］
前記支持部材は、前記受台側に設けられていることを特徴とする技術的思想１記載の遊技機。
【００７２】
［技術的思想３］
前記支持部材は、前記幕板側に設けられていることを特徴とする技術的思想１記載の遊技機。
【００７３】
［技術的思想４］
前記支持部材は、前記受台側と前記幕板側の双方に設けられていて中間で分離可能に継ぎ合わさるものであることを特徴とする技術的思想１記載の遊技機。
【００７４】
以上、本発明を実施形態１〜３について説明したが、もちろん本発明は上記実施形態に限定されるものではない。例えば、実施形態では、遊技機の一例として球皿６に投入した遊技球で遊技を行うパチンコ機を例示したが、遊技球を機内で循環させて持ち球データを加減算するいわゆる封入式のパチンコ機や、雀球式の遊技機などでも同様に適用できる。
また、実施形態では障害部材３７の大きさを図４のように平面視で受台１５の輪郭より小さくしたが、障害部材３７の大きさを図１８の変形例に示したように平面視で受台１５の輪郭程度に拡張し、そうすることでより受台１５の保護効果を高めるようにしてもよい。
【符号の説明】
【００７５】
１  …パチンコ機（遊技機）
２  …外枠
４  …前面部材
６  …球皿
１５  …受台
１６  …ハンドル
３７  …障害部材
３８  …貫通部
【図１】
2018027344.tif 000003
【図２】
2018027344.tif 000004
【図３】
2018027344.tif 000005
【図４】
2018027344.tif 000006
【図５】
2018027344.tif 000007
【図６】
2018027344.tif 000008
【図７】
2018027344.tif 000009
【図８】
2018027344.tif 000010
【図９】
2018027344.tif 000011
【図１０】
2018027344.tif 000012
【図１１】
2018027344.tif 000013
【図１２】
2018027344.tif 000014
【図１３】
2018027344.tif 000015
【図１４】
2018027344.tif 000016
【図１５】
2018027344.tif 000017
【図１６】
2018027344.tif 000018
【図１７】
2018027344.tif 000019
【図１８】
2018027344.tif 000020